(57)【要約】【課題】  低い費用で種々の機能を有すると共に容易な携帯のためにコンパクト化された、単一製品としての映像および音声情報記録再生装置を提供する。【解決手段】  本発明の映像および音声情報記録再生装置は、デジタルカムコーダ、デジタルスチールカメラ、ビデオレコーダ再生装置、データ格納装置、ＭＰ３プレイヤおよびボイスレコーダのような装置のうちの少なくとも２つの機能ユニットを制御するシングルチップで構成された制御装置、および前記種々の機能ユニットのデータを格納するメインデータレコーディング媒体としてマイクロコンパクトハードディスクドライブを備えることを特徴とする。【選択図】      図３
2004215262.tif 000002
【特許請求の範囲】
【請求項１】
デジタルカムコーダ、デジタルスチールカメラ、ビデオレコーダ再生装置、データ格納装置、ＭＰ３プレイヤおよびボイスレコーダのような装置のうちの少なくとも２つの機能ユニットを制御するシングルチップで構成された制御装置と；
前記種々の機能ユニットのデータを格納するメインデータレコーディング媒体としてマイクロコンパクトハードディスクドライブとを備えることを特徴とする映像および音声情報記録再生装置。
【請求項２】
前記制御装置は、
システムバスと；
前記システムバスと通信し、画像信号を出力するＭＵＸ／ＳＲＣと；
前記システムバスと通信し、前記種々の機能ユニットのデータを圧縮および伸長するＭＰＥＧ４と；
前記システムバスと通信し、メモリユニットおよびマイクロコンパクトハードディスクドライブに入出されるデータを記録および再生するメモリスティック／ＣＦインターフェース部と；
前記システムバスと通信し、前記種々の機能ユニットのデータを送信・インターフェースするＵＳＢインターフェースと；
前記システムバスと通信し、デジタルカムコーダおよびスチールカメラの機能ユニットを介した画像信号入力または入力ターミナルを介した画像信号入力を処理する画像処理部と；
前記システムバスと通信し、ＭＰ３プレイヤおよびボイスレコーダに対するオーディオ信号の入出力を処理するオーディオエンコーダ／デコーダと；
前記システムバスを介して前記制御装置を制御するＣＰＵとを備えることを特徴とする請求項１に記載の映像および音声情報記録再生装置。
【請求項３】
前記種々の機能ユニットを選択するモード変換スイッチをさらに備えることを特徴とする請求項１に記載の映像および音声情報記録再生装置。
【請求項４】
前記制御装置と前記マイクロコンパクトハードディスクドライブとをインターフェースするＴＩＣをさらに備えることを特徴とする請求項１に記載の映像および音声情報記録再生装置。
【請求項５】
前記シングルチップ制御装置およびマイクロコンパクトハードディスクドライブを含む本体と；
前記本体を通信可能に収容し、前記本体と外部コンピュータ装置との間のデータ移動を可能とするための複数の接続端子とを有するステーションとをさらに備えることを特徴とする請求項１に記載の映像および音声情報記録再生装置。
【請求項６】
前記ステーションおよび前記本体は、前記ステーションおよび前記本体に設けられた接続端子を介して互いに通信可能に連結されることを特徴とする請求項５に記載の映像および音声情報記録再生装置。
【請求項７】
前記ステーションは、前記本体が前記ステーションに搭載される場合、前記種々の機能ユニットを制御するための操作ボタンをさらに備えることを特徴とする請求項５に記載の映像および音声情報記録再生装置。
【請求項８】
前記本体は、バッテリを有し、前記本体が前記ステーションに搭載される場合、外部電源から前記バッテリ充電ができることを特徴とする請求項５に記載の映像および音声情報記録再生装置。
【請求項９】
前記ステーションは、前記接続端子としてＳＶＨＳ、ＡＶおよびビデオライン端子を備えることを特徴とする請求項５に記載の映像および音声情報記録再生装置。
【請求項１０】
前記ステーションは、前記本体が前記ステーションに搭載される場合、前記種々の機能ユニットを制御するためにリモートコントローラから操作信号を受信する受信部を備えることを特徴とする請求項５に記載の映像および音声情報記録再生装置。
【請求項１１】
着脱式ストレージをさらに有し、前記本体は、前記着脱式ストレージが着脱されているか否かの確認が可能なウィンドーをさらに備えることを特徴とする請求項５に記載の映像および音声情報記録再生装置。
【請求項１２】
ビデオライン入力をさらに有し、前記制御装置が、前記ビデオライン入力からビデオ信号を受けてデジタル化し、前記マイクロコンパクトハードディスクドライブに格納して前記種々の機能ユニットのうちの１つとしてのビデオレコーダ機能を提供することが可能であることを特徴とする請求項１に記載の映像および音声情報記録再生装置。
【請求項１３】
イメージをディスプレイするディスプレイユニットをさらに有し、前記制御装置は、前記マイクロコンパクトハードディスクドライブからビデオ信号を読み出して伸長した後、前記ディスプレイユニットに伸長されたビデオ信号を出力し、前記種々の機能ユニットのうちの１つとしてビデオ再生装置を提供することを特徴とする請求項１２に記載の映像および音声情報記録再生装置。
【請求項１４】
前記装置の内部に向かっている収容部を有し、ハードディスクドライブおよび回路ボードが取り付けられる第１のハウジングと；
前記第１のハウジングの内部と平行に対面している第２のハウジングと；
カメラズームボタンハウジングを有し、前記第１および第２のハウジングの間において前記カメラズームボタンハウジングの水平軸方向に設けられたカメラユニットを前記第１のハウジングおよび前記第２のハウジングの間で支持する中間ハウジングとを備えることを特徴とする映像および音声情報記録再生装置。
【請求項１５】
前記第１および第２のハウジングのそれぞれは、前記中間ハウジングにより支持されるカメラユニットを取り囲むインテグラルケーシングエリア（Ｉｎｔｅｇｒａｌ  Ｃａｓｉｎｇ  Ａｒｅａ）を有することを特徴とする請求項１４に記載の映像および音声情報記録再生装置。
【請求項１６】
前記インテグラルケーシングエリアは、凹形状であることを特徴とする請求項１５に記載の映像および音声情報記録再生装置。
【請求項１７】
前記カメラズームボタンハウジングは、円状であり、前記凹形状のインテグラルケーシングエリアに設けられることを特徴とする請求項１６に記載の映像および音声情報記録再生装置。
【請求項１８】
前記第２のハウジングは、バッテリを収容し得る装置の外部面と対面する収容部を備えることを特徴とする請求項１４に記載の映像および音声情報記録再生装置。
【請求項１９】
前記中間ハウジングは、その内部に前記回路ボードを収容するための開口を有することを特徴とする請求項１４に記載の映像および音声情報記録再生装置。
【請求項２０】
前記第２のハウジングの収容部に着脱自在に取り付けられたカバーをさらに有することを特徴とする請求項１８に記載の映像および音声情報記録再生装置。
【請求項２１】
前記中間ハウジングは、２つの垂直側面、少なくとも１つの水平面、および開口を有する四角形状であり、
前記垂直側面および水平面の幅が増加するにつれて前記中間ハウジングの開口および前記第１のハウジングの収容部を含む内部収容部が増加することを特徴とする請求項１４に記載の映像および音声情報記録再生装置。
【請求項２２】
前記装置の内部に向かっている収容部を有し、ハードディスクドライブが取り付けられる第１のハウジングと；
前記第１のハウジングの内部と平行に対面しており、外部面に対応する収容部を有し、着脱自在なバッテリを収容する第２のハウジングと；
カメラズームボタンハウジングを有し、回路ボードを収容し、前記第１および前記第２のハウジングの間において前記カメラズームボタンハウジングの水平軸方向に設けられたカメラユニットを支持するために前記第１のハウジングおよび前記第２のハウジングの間に支持されている中間ハウジングとを備えることを特徴とする映像および音声情報記録再生装置。
【発明の詳細な説明】
【技術分野】
【０００１】
本発明は、映像および音声情報記録再生装置およびシステムに関し、より詳しくは、デジタルカムコーダ、デジタルスチールカメラ、ＭＰ３プレイヤ、ボイスレコーダなどのような各製品の特定機能を集積してパッケージ化した映像および音声情報記録再生装置に関する。
【背景技術】
【０００２】
一般に、デジタルスチールカメラ（ＤＳＣ：Ｄｉｇｉｔａｌ  Ｓｔｉｌｌ  Ｃａｍｅｒａ）は、レンズを介して入射される映像をデジタル信号に変換させて格納する。かかるＤＳＣは、パソコンとの互換性が高いため、編集および修正が容易であり、外部コンピュータと連結して撮った映像を伝送することができる。また、ＤＳＣは、一般のカメラと同様な構造を有するため、携帯が容易である。即ち、ＤＳＣは、レンズ装置、メモリ装置、信号変調装置、ディスプレイ装置などを備えてなる。なお、かかるＤＳＣは、映像を記録する記録媒体の容量などの理由から、主に静止画を生成するために使用されている。即ち、動画撮影の機能を備えてはいるが、実際には長時間の撮影ができない。特に、音響を記録および再生する装置を備えていないため、実質的には動画を撮影して格納および再生するには不適である。かかる点から、テープのような記録媒体を用いて撮影される被写体の画像および音響などを記録および再生する記録再生装置、例えば、カムコーダが広く普及されつつある。
【０００３】
前述のカムコーダは、レンズ装置、信号変換装置、撮影された映像を記録・再生するデッキ装置、ディスプレイ装置などを備えている。かかるカムコーダは、主にカセットテープを記録媒体として使用して撮影された動画を記録するようになっている。また、カムコーダは、マイク装置およびスピーカ装置を備えており、装着されたカセットテープをもって１時間以上の撮影をすることが可能である。なお、かかるカムコーダは、停止画を撮影する機能を有してはいるが、前述のＤＳＣに比べて画質が落ちるため、主に動画を撮影する撮影に使用されている。また、カムコーダは、ＤＳＣより多機能かつ、複雑な構成を有するため、相対的に大型化し、高価のものとなる。
【０００４】
それで、前述のような理由から、良質の停止画および動画の両方を撮るためには、ＤＳＣおよびカムコーダの両方を利用する必要があり、消費者には経済的な負担が多いだけでなく、携帯が容易でないという問題点があった。
【０００５】
従って、前述のようなカムコーダおよびＤＳＣが有する基本的な映像処理機能を含む種々の機能が具現できる映像および音声情報記録再生装置が求められている。
【０００６】
また、カムコーダや既存の複合化した映像および音声情報装置は、大型で記録容量が少ないため、携帯使用が不便である。それで、大量の記録容量を有しながら携帯が容易な映像および音声情報記録再生装置の必要性が高くなりつつある。
【発明の開示】
【発明が解決しようとする課題】
【０００７】
本発明の目的は、種々の映像および音声信号処理機能を有し、カムコーダ、ＤＳＣ、ボイスレコーダ、ＭＰ３プレイヤ、データ格納装置、ビデオ格納およびディスプレイ装置、ウェブカメラおよび他の多様な分野におけるデジタル信号処理装置としての機能を果たすことのできる映像および音声情報記録再生装置を提供することにある。
【０００８】
また、本発明の目的は、カムコーダやＤＳＣのような基本的なイメージ処理装置およびＭＰ３プレイヤやボイスレコーダのようなオーディオデジタル処理装置を含む種々の製品の複合体としての映像および音声情報記録再生装置を提供することにある。
【０００９】
さらに、本発明の目的は、多様なデータ処理機能を効果的に行う種々の製品ユニットのデータ、入力、処理のようなコントロールを行う制御装置を提供することにある。特に、前記制御装置は、カメラレンズからの外部イメージ信号を映像および音声情報記録再生装置内でデジタル化し、また、テレビのような外部コンピュータ装置から入力されるイメージ信号をデジタル化するだけでなく、入力オーディオ信号、入力データ、出力データ（例えば、出力イメージ、オーディオ信号など）を処理し、種々のレコーディング媒体からのデータを読み書きする役割をする。
【課題を解決するための手段】
【００１０】
本発明の目的を達成するため、本発明の映像および音声情報記録再生装置は、入力されるビデオ信号のために、種々のサイズおよび大量のデータを格納することのできるハードディスクドライブ（ＨＤＤ）を備えている。従って、より多いデータ、より多い圧縮データおよびオーディオデータなどを格納することが可能となる。
【００１１】
本発明の目的は、デジタルカムコーダ、デジタルスチールカメラ、ビデオレコーダ再生装置、データ格納装置、ＭＰ３プレイヤおよびボイスレコーダのような装置のうちの少なくとも２つの機能ユニットを制御するシングルチップで構成された制御装置、および前記種々の機能ユニットのデータを格納するメインデータレコーディング媒体としてマイクロコンパクトハードディスクドライブを備える映像および音声記録再生装置により達成される。
【００１２】
また、本発明の目的は、前記シングルチップ制御装置およびマイクロコンパクトハードディスクドライブを含む本体、および前記本体を通信可能に収容し、前記本体と外部コンピュータ装置との間のデータ移動を可能とするための複数の接続端子を有するステーションをさらに備える映像および音声情報記録再生装置により達成される。
【００１３】
さらに、本発明の目的は、前記制御装置が、システムバス、前記システムバスと通信し、画像信号を出力するＭＵＸ／ＳＲＣ、前記システムバスと通信し、前記種々の機能ユニットのデータを圧縮および伸長するＭＰＥＧ（Ｍｏｔｉｏｎ  Ｐｉｃｔｕｒｅ  Ｅｘｐｅｒｔｓ  Ｇｒｏｕｐ）４、前記システムバスと通信し、メモリユニットおよびマイクロコンパクトＨＤＤに出入されるデータを記録および再生するメモリスティック／ＣＦインターフェース部、前記システムバスと通信し、前記種々の機能ユニットのデータを送信・インターフェースするＵＳＢインターフェース、前記システムバスと通信し、デジタルカムコーダおよびスチールカメラ機能ユニットを介した画像信号入力または入力ターミナルを介した画像信号入力を処理する画像処理部、前記システムバスと通信し、ＭＰ３プレイヤおよびボイスレコーダに対するオーディオ信号の入出力を処理するオーディオエンコーダ／デコーダ、および前記システムバスを介して前記制御装置を制御するＣＰＵを備えてなる映像および音声情報記録再生装置により達成される。
【発明の効果】
【００１４】
以上のような本発明によれば、内部的に信号処理をデジタル化し、ＭＰＥＧ４方式を用いて圧縮および伸長することで、カムコーダ、デジタルカメラ、ボイスレコーダ、ＭＰ３プレイヤ、格納装置、ウェブカメラなどの機能を遂行することが可能となる。即ち、本発明によれば、カムコーダおよびデジタルカメラのような映像情報処理機器としての機能およびＭＰ３プレイヤおよびボイスレコーダのような音声情報処理機器としての機能を集積化することで１つのパッケージ化した単位製品とすることができるように小型の複合化した映像および音声情報記録再生装置を提供することが可能となる。これにより、安価で種々の機能を実現することができ、また、制御部を１つのチップで構成すると共に超小型のＨＤＤを用いることでより携帯が容易なコンパクト化した製品を消費者に提供可能であり、また、ステーションを用いることで携帯用はもちろん、セット製品のような形態にして使用することもできるという効果が得られる。
【発明を実施するための最良の形態】
【００１５】
以下、添付の図面を参照して本発明に係る複合化した映像および音声情報記録再生装置の好適な実施例について詳述する。
【実施例】
【００１６】
図１乃至図４に示されたように、本発明に係る映像および音声情報記録再生装置１０は、本体１１、カメラユニット１３、ディスプレイ装置１５およびバッテリ３０を有する。
【００１７】
図３に示されたように、本体１１は、主要データ格納媒体としてＨＤＤ１７０を収容するための第１のハウジング１１ｄ、中間ハウジング１１ｅおよび第２のハウジング１１ｆ、カメラユニット１３、バッテリ３０および回路ボード１１ｇを有し、特に、映像および音声情報記録再生装置１０（図８参照）の処理機能を行う。その中で、第１のハウジング１１ｄは、主要データ格納媒体としてのＨＤＤ１７０を収容するための収容部１１ｈを備える。なお、前記主要データ格納媒体としては、１インチＨＤＤが使用されるが、本発明の主要データ格納媒体は、１インチＨＤＤに限定されるのではなく、コンパクトでかつ大量のデータが格納可能であると共に第１のハウジング１１ｄに収容可能なものであれば、種々のタイプのものが使用されることができる。
【００１８】
本発明によれば、第１のハウジング１１ｄおよび／または中間ハウジング１１ｅが共にまたは別に回路ボード１１ｇ（全部または一部分）を収容することができる。さらに、複数の作動（操作）ボタン（ハウジング）１３ｂ、ＭおよびＶは、本体１１に設けられることができ、装置１０の機能を制御するための回路ボード１１ｇと直接または間接的に通信可能である。特に、作動ボタン１３ｂ、ＭおよびＶは、中間ハウジング１１ｅの露出面上に設けられ、以下、より詳しく説明する。
【００１９】
第１および第２のハウジング１１ｄ、１１ｆは、互いに同じ方向に設けられており、互いに平行である。第１のハウジング１１ｄおよび第２のハウジング１１ｆのそれぞれは、収容部１１ｈ、１１ｃを有し、特に、第１および第２のハウジング１１ｄ、１１ｆの相互結合時、１つの収容部１１ｈは、装置１０の内面一側に対向し、他の収容部１１ｃは、他側に対向する。従って、第１および第２のハウジング１１ｄ、１１ｆの結合時、少なくともハウジング１１ｄ、１１ｆの収容部のうちの１つと同じ空間のシングル内部収容空間が形成される。ハウジング１１ｄ、１１ｆの収容部のうちのいずれか１つは、ＨＤＤ１７０を収容し得る大きさを有する。第１および第２のハウジングは、また、図３からわかるように、それらの間に中間ハウジング１１ｅおよびカメラユニット１３を収容する。
【００２０】
中間ハウジング１１ｅは、第１のハウジング１１ｄおよび第２のハウジング１１ｆの形状によって構成されるが、特に、２つの垂直面１１ｊ、１１ｋを有する四角形状であり、２つの水平面１１ｊ、１１ｌおよび開口（通路）１１ｍを有する。中間ハウジング１１ｅの３つの水平面１１ｉ、１１ｊ、１１ｋは、中間ハウジング１１ｅが第１および第２のハウジングの間に位置して結合される時、装置１０の３つの面を形成するように外部に露出されることもでき、第１および第２のハウジング１１ｄ、１１ｆにより覆われることもできる。中間ハウジング１１ｅの最上側の水平面１１ｌは、カメラユニット１３を支持する。特に、中間ハウジング１１ｅは、回路ボード１１ｇを収容し得る支持表面を有する開口を備えている。また、前記最上側の水平面１１ｌは、開口されており、図３に示されたように、他の３つのハウジング１１ｉ、１１ｊ、１１ｋに対してＵ次形状をなす。特に、最上側の水平面１１ｌは、カメラユニット１３を収容するための支持表面を有している。また、中間ハウジング１１ｅの他の３つの面１１ｉ、１１ｊ、１１ｋは、各種の作動（操作）ボタン（ハウジング）（例えば、１３ｂ、Ｖ、Ｍ）、スロット（例えば、１１ａ）、インターフェースポート（例えば、１６０など図２参照）などが設けられ、露出されている。第１のハウジング１１ｄおよび第２のハウジング１１ｆが結合される時、中間ハウジング１１ｅの側面（幅）が増加するほど（例えば、中間ハウジング１１ｅの外部に露出される側面１１ｉ、１１ｊ、１１ｋが増加するほど）、第１のハウジング１１ｄの収容面１１ｈおよび第２のハウジング１１ｆの収容面１１ｍを備えてなる装置１１の１つの内部収容面積が増大する。ハウジング１１ｅ、１１ｅ、１１ｆの本体１０は、ＨＤＤ１７０を有することで、大量のデータ格納能力を有しながらもよりコンパクトなサイズに作ることができる（例えば、装置１０は、小型であり、非常に高い非揮発性データ格納能力を有している）。
【００２１】
さらに、本体１１は、図１に示されたように、その一側に、補助情報記録媒体としてスマートカード、メモリスティックのような着脱式ストレージ２０が着脱されるスロット１１ａを有する（例えば、中間ハウジング１１ｅの一側に露出されるように構成する）。前述したものの他にも、フラッシュメモリ１４５（図８参照）、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１７５（図８参照）などが情報記録媒体としてさらに使用されることができ、このフラッシュメモリおよびＳＤＲＡＭに関しては、後述する。図１の１１ｂは、着脱式ストレージ２０が着脱されているか否かを確認することができるように設けられたウィンドーである。また、１７は、撮影時に使用者の手を本体１１に固定させるためのバンドを示す。また、図１のＢは、例えば、ディスプレイユニット１５に設けられ、通常のデジタルカムコーダにおけるものと同様な機能操作用ボタンを示すものである。また、中間ハウジング１１ｅに設けられた符号Ｍは、モード変換スイッチを示すものであって、前記モード変換スイッチＭの操作により、例えば、カムコーダ機能モード、ＤＳＣ機能モード、ＭＰ３プレイヤ機能モードなどに転換選択される。符号Ｖは、例えば、音量調節などを行うためのダイヤルスイッチを示すものである。
【００２２】
カメラユニット１３は、図１乃至図４に示されたように、レンズ１３ａを含む所定の光学系、レンズ１３ａ、ズームボタン１３ｂ（ズームボタンハウジング）、光学計を介して結像された光学像を光電変化させるためのＣＣＤ（Ｃｈａｒｇｅ  Ｃｏｕｐｌｅｄ  Ｄｅｖｉｃｅ）１００（図７参照）、前記第１および第２のハウジング上端部に位置される一対の統合されたケースにより形成される外装ケース１３ｃを有する。本発明によれば、カメラユニット１３の外装ケース１３ｃは、本体１１の両面上において統合的に形成される外形をなし（例えば、第１および第２のハウジング１１ｄ、１１ｆ上に統合的に形成される）、カメラユニット１３を取り囲む。特に、ケーシング１３ｃ空間の内部は、窪んでいる。本発明によれば、ズームボタンハウジング１３ｂとして、作動ボタン１３ｂは、カメラユニット１３の水平軸と一致し、レンズ１３ａと反対位置に、中間ハウジング１１ｅの垂直側面１１ｉの上端部に露出されるように形成することができ、または、図３に示されるように、カメラユニット１３が中間ハウジング１１ｅの最上端の水平面に収まる時、レンズ１３ａの反対側にカメラユニット１３ａと一体に構成することもできる。特に、ズームボタンハウジング１３ｂは、丸く形成され、第１および第２のハウジング１１ｄ、１１ｆの結合で作られる窪んだケース１３ｃ内部に収容される。ズームボタン１３ｂは、レンズ１３ａの焦点距離を変化させることができ、ズームボタンハウジング１３ｂは、露出された外装ケース１３ｃにより弾性的に支持される（例えば、第１および第２のハウジング１１ｄ、１１ｆにより支持される）。特に、ズームボタン１３ｂは、図１に示された矢印方向のように円形のガイドレールに沿ってスライドする。
【００２３】
図４は、図１をより詳しく示す斜視図である。特に、本体１１の一側面には（例えば、第１のハウジング１１ｄおよび第２のハウジング１１ｆのいずれか１つ）、図示のようにバッテリ３０が着脱されるバッテリ着脱部１１ｃが設けられ、その後方部には、バッテリ着脱部１１ｃに装着されるバッテリ３０を保護するためにバッテリカバー１２が着脱自在に設けられている。
【００２４】
ディスプレイユニット１５は、図５（ａ）および図５（ｂ）に示されたように、互いに直交する方向に配置された一対の回転軸Ｐ１、Ｐ２を中心に本体１１に対して相対的な回動ができるように本体１１と連結される。このため、本実施例に係るディスプレイユニット１５は、本体１１に対して折り畳まれるように回動自在に設けられると共に、回動ブロック１５ａに対して自由な回転運動が可能な状態に設けられる。
【００２５】
ディスプレイユニット１５は、例えば、ＬＣＤモニタなどに採用され、撮影される被写体を表示するビューファインダの代用として使用され、または、撮影した映像、ＨＤＤ１７０に格納された映像データおよび外部情報処理機器から受信された映像データのいずれかを再生する時において映像を確認するために使用される。
【００２６】
かかるディスプレイユニット１５が、前述のように複数の回転軸Ｐ１、Ｐ２を回転中心にした相対回動ができるように本体１１に設けられた場合は、使用者は、撮影姿勢に制約を受けることなく、種々の姿勢で容易にディスプレイユニット１５で再生される画像を観察することができる。
【００２７】
図６は、本発明の他の実施例に係る複合化した映像および音声情報記録再生装置の外観を示す斜視図であり、図７は、図６に示された装置の背面斜視図である。図６および図７に示されたように、本発明の他の実施例に係る複合化した映像および音声情報記録再生装置は、図１乃至図５（ｂ）において説明された複合化した映像および音声情報記録再生装置１０の本体１１が、例えば、ＴＶセット、オーディオセットなどのような外部情報処理機器（図示せず）と信号送受信可能に接続されると同時にバッテリ３０（図３参照）充電可能に接続されるように搭載されるステーション５０が付加され、１つのセットとして組立構成された点に特徴がある。
【００２８】
ステーション５０は、図示のように、本体１１の搭載時、本体１１の一側に設けられたコネクタＣと接続されるように設けられる接続端子５１を有する。接続端子５１とコネクタＣは、本体１１がステーション５０に搭載された状態で外部電源を用いて本体１１のバッテリ３０を充電させる機能を行うと共に、本体１１とステーション５０との間を本体１１の駆動に関連した信号の送受信ができるように連結する信号送受信用端子の機能も行う。
【００２９】
なお、図７の５０ａ、５０ｂ、５０ｃ、５０ｄおよび５０ｅは、前記外部情報処理機器とのステーション５０の連結を行うために、例えば、ＳＶＨＳ端子、ＡＶ端子などのような通常の接続コネクタを示すものである。前記接続コネクタは、ステーション５０の接続端子Ｃと信号送受信可能に連結される。これにより、本体１１は、ステーション５０に搭載された状態においても前記外部情報処理機器との信号送受信が可能となる。
【００３０】
また、符号Ｐは、本体１１をステーション５０に搭載した状態において本体１１の駆動に関連した諸機能を行うための一連の操作ボタンを示す。前記操作ボタンＰは、接続端子５１と信号送受信可能に連結される。この時、前記操作ボタンＰは、図６および図７に示された状態のように本体１１がステーション５０に搭載される場合、本体１１とステーション５０との間に位置して外部からの操作ができない本体１１の操作ボタン、例えば、モード変換スイッチＭ、音量調節用ダイヤルスイッチＶなどの機能を行うことのできるものが好ましい。
【００３１】
また、符号Ｄ、ｄのそれぞれは、同一のリモートコントローラ７０からの操作信号を受信するために本体１１およびステーション５０のそれぞれに設けられた信号受信部を示す。これらのうち、ステーション５０に設けられた信号受信部Ｄは、ステーション５０の接続端子５１と信号送受信可能に連結されることで、本体１１がステーション５０に搭載された状態においてもリモートコントローラ７０の操作により本体１１の駆動を外部で制御することが可能となる。
【００３２】
なお、図７の符号５２は、個別的にバッテリ３０充電ができるバッテリ充電部を示すものである。
【００３３】
図８は、本発明に係る複合化した映像および音声情報記録再生装置を示す内部ブロック図であって、図示のように、本発明に係る複合化した映像および音声情報記録再生装置は、ＣＣＤ１００、ＬＣＤドライバ１０５、ＮＴ／ＰＡＬエンコーダ１１０、ＮＴ／ＰＡＬデコーダ１１５、ＴＧ／ＣＤＳ／ＡＧＣ（Ｔｉｍｉｎｇ  Ｇｅｎｅｒａｔｉｏｎ／Ｃｏｒｒｅｌａｔｅｄ  Ｄｏｕｂｌｅ  Ｓａｍｐｌｅｒ／Ａｕｔｏ  Ｇａｉｎ  Ｃｏｎｔｒｏｌ）１２０、レンズドライバ１２５、モード制御部１３０、Ｖ．ドライバ１３５、機能ブロック部１４０、フラッシュメモリ１４５、電源部１５０、オーディオインターフェース部１５５、ＵＳＢ（Ｕｎｉｖｅｒｓａｌ  Ｓｅｒｉａｌ  Ｂｕｓ）部１６０、ＴＩＣ（Ｔｒａｎｓｉｔｉｏｎ  ＩＣ）１６５、ＨＤＤ１７０、ＳＤＲＡＭ１７５および制御部２００で構成される。
【００３４】
ＣＣＤ１００は、前述のように、レンズ１１を介して入力される光学像を電気信号変化させて出力する。即ち、被写体の光学像は、撮像レンズによりＣＣＤ１００の感光面上に像が結ばれ、ＣＣＤ１００では、感光面上に結像された光学像を電気信号に変えて水平および垂直の走査により１次元の電気信号の形態で出力する。
【００３５】
ＬＣＤドライバ１０５は、ディスプレイユニット１５のＬＣＤモニタ１３を駆動するために使用される。ＮＴ／ＰＡＬエンコーダ１１０は、制御部２００から出力される信号をＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式やＰＡＬ（Ｐｈａｓｅ  Ａｌｔｅｒｎａｔｉｏｎ  Ｌｉｎｅ）方式の映像信号に変換して出力する。ＮＴ／ＰＡＬデコーダ１１５ビデオライン入力端子を介して入力されるＮＴＳＣ方式やＰＡＬ方式の信号をデジタルデータに変換して制御部２００に伝達する。ＮＴＳＣ方式およびＰＡＬ方式は、標準化したテレビジョン出力方式の１つであって、通常、大韓民国ではＮＴＳＣ方式を採用し、ヨロッパー地域ではＰＡＬ方式を採用している。
【００３６】
ＴＧ／ＣＤＳ／ＡＧＣ１２０は、ＣＣＤ１００から出力される信号を、相関二重サンプリング回路（Ｃｏｒｒｅｌａｔｅｄ  Ｄｏｕｂｌｅ  Ｓａｍｐｌｉｎｇ  Ｃｉｒｃｕｉｔ）を用いてノイズを除去し、自動利得制御回路などを通った信号を制御部２２０に伝達し、レンズドライバ１２５は、焦点、絞りの開放程度などの撮影に適合した状態に駆動回路を制御する。Ｖ．ドライバ１３５は、ＣＣＤ１００の垂直ドライバ（Ｖｅｒｔｉｃａｌ  Ｄｒｉｖｅｒ）であり、モード制御部１３０は、使用者により選択されたモードに応じてＬＣＤドライバ１０５、レンズドライバ１２５およびＶ．ドライバ１３５の駆動を制御する。
【００３７】
機能ブロック部１４０は、操作ボタンの操作により選択された動作状態に関する情報を格納し、これをモード制御部１３０に伝達することで、複合化した映像および音声情報記録再生装置が選択された動作状態となるようにする。
【００３８】
フラッシュメモリ１４５は、ブートプログラムなど装置の動作に必要なシステムプログラムおよび電源が切れても内容が消えてはいけない重要なデータや応用プログラムが格納され、電源部１５０は、装置内において動作に必要な電源を供給する働きをする。
【００３９】
オーディオインターフェース部１５５は、外部オーディオ信号の入出力およびヘッドフォン、マイクロフォンなどのオーディオ機器の駆動のためのインターフェースを行う。ＵＳＢ部１６０は、直列ポートの一種で、オーディオプレイヤ、プリンタなどのような周辺機器およびコンピュータ間のプラグ＆プレイインターフェースを提供する。
【００４０】
ＴＩＣ１６５は、制御部２００とハードＨＤＤ１７０との間の信号整合のために使用され、ＨＤＤ１７０には、制御部２００により圧縮されたデータが格納される。なお、ＨＤＤ１７０は、装置の小型化のために１インチＨＤＤが使用される。ＳＤＲＡＭ１７５は、装置の動作のために必要なデータなどが格納されるバッファ役割を行う。
【００４１】
制御部２００は、ＴＧ／ＣＤＳ／ＡＧＣ１２０から入力される信号をＡ／Ｄ変換などの信号変換を行い、変換されたデータ、ＮＴ／ＰＡＬデコーダ１１５、オーディオインターフェース部１５５、およびＵＳＢ１６０から入力されるデータを圧縮してＴＩＣ１６５を介してＨＤＤ１７０に格納する。この場合、ＨＤＤ１７０の代わりにメモリスティックが格納媒体として使用されることもできる。制御部２００は、再生などの場合においては、ＨＤＤ１７０に格納されたデータを伸長してＮＴ／ＰＡＬエンコーダ１００やオーディオインターフェース部１５５に出力する。制御部２００は、その他にも装置内の全般的な動作を制御する。
【００４２】
図９は、図８の制御部２００を示す詳細ブロック図である。図示のように、制御部２００は、ＧＵＩ（Ｇｒａｐｈｉｃａｌ  Ｕｓｅｒ  Ｉｎｔｅｒｆａｃｅ）２０５、ＭＵＸ／ＳＲＣ２１０、ＭＰＥＧ４  ＣＯＤＥＣ２１５、ＤＭＡ２２０、メモリスティック／ＣＦインターフェース部２２５、ＵＳＢインターフェース２３０、画像処理部２３５、ＣＰＵ２４０、エンコーダ２４５、デコーダ２５０およびシステムバス２６０で構成され、複合化した映像および音声情報記録再生装置の小型化を容易にするため、１つのチップとすることが好ましい。
【００４３】
ＧＵＩ２０５は、ＧＵＩ環境の構築に必要なグラフィックデータなどが格納され、ＭＵＸ／ＳＲＣ２１０は、ＮＴ／ＰＡＬエンコーダ１１５に出力されるデータを制御し、必要に応じてＧＵＩ２０５に格納されたデータを混合して出力することができる。
【００４４】
ＭＰＥＧ４  ＣＯＤＥＣ２１５は、入力されるデータをＭＰＥＧ４方式で圧縮し、必要に応じて圧縮されたデータを伸長する。ＭＰＥＧ４は、帯域幅の小さい通信媒体においても伝送可能であり、双方向マルチメディア通信が可能なＡ／Ｖ（Ａｕｄｉｏ／Ｖｉｄｅｏ）標準符号化方式であって、既存のＨ．２６１、ＪＰＥＧ、ＭＰＥＧ１、ＭＰＥＧ２におけるブロック単位の変換符号方法を脱皮し、映像内容に基づいて映像信号を符号化する新しい方法である。
【００４５】
ＵＳＢインターフェース２３０は、ＵＳＢ部１６０とのインターフェースを行う。
【００４６】
画像処理部２３５は、ＴＧ／ＣＤＳ／ＡＧＣ１２０を介して入力される信号に対してＡ／Ｄ変換などの信号変換を行い、変換されたデータおよびＮＴ／ＰＡＬデコーダ１１５を介して入力されるデータのうちのいずれか１つをシステムバスに伝送する。エンコーダ２４５およびデコーダ２５０は、オーディオインターフェース部１５５のデータ送受信のために必要なエンコーディングおよびデコーディングをそれぞれ行う。
【００４７】
ＧＵＩ２０５、ＭＵＸ／ＳＲＣ１２０、ＭＰＥＧ４  ＣＯＤＥＣ２１５、ＤＭＡ２２０、メモリスティック／ＣＦインターフェース２２５、ＵＳＢインターフェース２３０、画像処理部２３５、ＣＰＵ２４０などは、システムバス２６０を介して接続され、ＣＰＵ２４０は、制御部２００内の全般的な動作を制御する。制御部２００は、小型化のために１つのチップとして作られる。
【００４８】
前述のような構成を有する本映像および音声情報記録再生装置は、種々の機能を行うことができる。例えば、デジタルカムコーダとして動作する場合について説明すると、以下の通りである。
【００４９】
レンズ１１を介して撮像したデータは、ＣＣＤ１００で光電変換された後、ＴＧ／ＣＤＳ／ＡＧＣ１２０を通って制御部２００に伝達される。制御部２００内の画像処理部２３５は、入力されるアナログ映像信号をデジタルデータに変換してシステムバスを介してＭＰＥＧ４  ＣＯＤＥＣ２１５に伝達する。ＭＰＥＧ４  ＣＯＤＥＣ２１５は、伝達されたデジタルデータをＭＰＥＧ４方式で圧縮し、圧縮されたデータをメモリスティック／ＣＦインターフェース２２５に伝達する。メモリスティック／ＣＦインターフェース部２２５は、伝達された圧縮データをＴＩＣ１６５を介してＨＤＤ１７０に格納する。かかる過程を経て映像を録画することができる。また、かかるＣＦインターフェース部２２５は、機構的に外部に露出されるように構成されるものではなく、内部で回路的に使用されるという点が、本実施例における特徴点となる。
【００５０】
ＨＤＤ１７０に格納された圧縮データは、再生時、ＭＰＥＧ４  ＣＯＤＥＣ２１５で伸長され、ＭＵＸ／ＳＲＣ２１０を介してＮＴ／ＰＡＬエンコーダ１１０に伝達される。ＮＴ／ＰＡＬエンコーダ１１０は、伝達された信号をＬＣＤドライバ１０５を介して本体１１に取り付けられたＬＣＤモニタ１３にディスプレイする。また、テレビやＳ−ＪＡＣＫ（Ｓｕｐｅｒ  ＪＡＣＫ）端子に伝達し、外部ディスプレイ装置で録画された映像をディスプレイすることもできる。かかる方法で録画された動画や停止画が再生される。
【００５１】
外部ビデオライン入力は、ＮＴ／ＰＡＬデコーダ１１５を介して制御部２００に伝達され、前述の過程を経てＨＤＤ１７０に圧縮格納され、必要に応じて伸長再生される。かかる過程で、テレビなどにディスプレイされる内容を録画し、再生することが可能である。また、レンズ１１を介して撮像されたデータを圧縮することなく直にＮＴ／ＰＡＬエンコーダ１１０に出力することで、現在撮影している被写体をテレビなどにディスプレイすることもできる。
【００５２】
なお、ボイスレコーダやＭＰ３プレイヤで動作する場合については、オーディオインターフェース部１５５を介して入力される音響信号は、ＭＰＥＧ４  ＣＯＤＥＣ２１５で圧縮され、圧縮された音響信号は、ＴＩＣ１６５を介してＨＤＤ１７０またはメモリスティックに格納される。ＨＤＤ１７０などに格納された音響信号は、再度ＭＰＥＧ４  ＣＯＤＥＣ２１５により伸長され、オーディオインターフェース１５５を介してヘッドフォンや外部音響機器に伝達される。
【００５３】
また、ＵＳＢ部１６０を介して外部コンピュータに接続され、必要なデータを伝達されるか、外部コンピュータにデータを伝達することも可能である。かかる過程を経てデータ格納装置として活用することが可能となる。また、本映像および音声情報記録再生装置は、ＵＳＢ部１６０に接続されたコンピュータのウェブカメラなどの用途として使用されることも可能である。
【００５４】
前述のように、本発明に係る複合化した映像および音声情報記録再生装置は、カムコーダ、デジタルカメラ、ボイスレコーダ、ＭＰ３プレイヤ、データ格納装置およびウェブカメラなどの機能を行うことができ、その他にも種々の分野において応用可能である。
【００５５】
以上、図面を参照して本発明の実施例について説明してきたが、本発明の保護範囲は、前述の実施例に限定されるものではなく、特許請求の範囲に記載された発明とその均等物にまで及ぶものである。
【産業上の利用可能性】
【００５６】
本発明の装置は、映像および音声情報を記録または再生する複合機としての映像および音声情報記録再生機器に適用されることができる。
【図面の簡単な説明】
【００５７】
【図１】本発明の第１の実施例に係る複合化した映像および音声情報記録再生装置のカメラの後方を概略的に示す斜視図である。
【図２】図１に示された装置のカメラの前方を示す斜視図である。
【図３】図１に示された映像および音声情報記録再生装置を示す分解斜視図である。
【図４】図１に示された映像および音声情報記録再生装置をより詳しく示す斜視図である。
【図５Ａ】図１に示された複合化した映像および音声情報記録再生装置の使用状態を概略的に示す斜視図である。
【図５Ｂ】図１に示された複合化した映像および音声情報記録再生装置の使用状態を概略的に示す斜視図である。
【図６】本発明の他の実施例に係る複合化した映像および音声情報記録再生装置の外観を示す斜視図である。
【図７】図６に示された装置の背面斜視図である。
【図８】本発明の実施例に係る図１および図６の複合化した映像および音声情報記録再生装置を示すブロック図である。
【図９】図８に示された制御部を示すブロック図である。
【符号の説明】
【００５８】
１０    映像および音声情報記録再生装置
１１    本体
１１ｄ  第１のハウジング
１１ｅ  中間ハウジング
１１ｆ  第２のハウジング
１３    カメラユニット
１５    ディスプレイユニット
２０    ストレージ
３０    バッテリ
５０    ステーション
５１    接続端子
１００  ＣＣＤ
１０５  ＬＣＤドライバ１０５
１１０  ＮＴ／ＰＡＬエンコーダ
１１５  ＮＴ／ＰＡＬデコーダ
１２０  ＴＧ／ＣＤＳ／ＡＧＣ
１２５  レンズドライバ
１３０  モード制御部１３０
１３５  垂直ドライバ
１４０  機能ブロック部
１４５  フラッシュメモリ
１５０  電源部
１５５  オーディオインターフェース部
１６０  ＵＳＢ部
１６５  ＴＩＣ
１７０  ハードディスクドライブ
１７５  ＳＤＲＡＭ
２００  制御部
２０５  ＧＵＩ
２１０  ＭＵＸ／ＳＲＣ
２１５  ＭＰＥＧ４ ＣＯＤＥＣ
２２０  ＤＭＡ
２２５  メモリスティック／ＣＦインターフェース部
２３０  ＵＳＢインターフェース
２３５  画像処理部
２４０  ＣＰＵ
２４５  エンコーダ
２５０  デコーダ
２６０  システムバス
【図１】
2004215262.tif 000003
【図２】
2004215262.tif 000004
【図３】
2004215262.tif 000005
【図４】
2004215262.tif 000006
【図５Ａ】
2004215262.tif 000007
【図５Ｂ】
2004215262.tif 000008
【図６】
2004215262.tif 000009
【図７】
2004215262.tif 000010
【図８】
2004215262.tif 000011
【図９】
2004215262.tif 000012